(57)【要約】【課題】簡易な構成で、ディスクと光ピックアップレンズとの接触を防ぐと共に、コンパクト化可能なレンズ保護機構及びディスク再生装置を提供すること。【解決手段】ターンテーブル５２上に載置されるディスク１３に光を投受光するための光ピックアップレンズ２８を有するレンズ保護機構１１であり、ターンテーブル５２または光ピックアップレンズ２８の少なくとも一方を、支点を中心として傾斜させることを可能とする傾斜駆動機構を有している。また、ディスク１３の再生状態／再生待機状態で他ソース／電源オフに切り替えられた場合に、傾斜駆動機構を作動させて、ディスク１３と光ピックアップレンズ２８の間の距離が離れるように制御する制御手段８０を有している。【選択図】  図１
2004158101.tif 000002
【特許請求の範囲】
【請求項１】
ディスクが載置されるターンテーブルまたは光ピックアップレンズの少なくとも一方を、支点を中心として回動させることにより、これらの間のスキュー調整を行うスキュー調整機構と、
上記ディスクの再生状態／再生待機状態で他ソース／電源オフに切り替えられた場合に、上記ディスクと上記光ピックアップレンズとの間の距離が離れるように、上記スキュー調整機構を制御する制御手段と、
を具備することを特徴とするレンズ保護機構。
【請求項２】
ターンテーブル上に載置されるディスクに光を投受光させる光ピックアップレンズを有するレンズ保護機構において、
上記ターンテーブルまたは上記光ピックアップレンズの少なくとも一方を、支点を中心として傾斜させることを可能とする傾斜駆動機構と、
上記ディスクの再生状態／再生待機状態で他ソース／電源オフに切り替えられた場合に、上記傾斜駆動機構を作動させて、上記ディスクと上記光ピックアップレンズの間の距離が離れるように制御する制御手段と、
を具備することを特徴とするレンズ保護機構。
【請求項３】
前記傾斜駆動機構は、前記ターンテーブルを傾斜させると共に、この傾斜駆動機構は、
前記制御手段によって作動が制御されるスキュー調整用モータと、
上記スキュー調整用モータによって回転駆動され、この回転駆動に伴ってスライドすると共に、軸方向に沿って径が変化するスキュー調整軸と、
前記ターンテーブルと一体的に傾斜すると共に、上記スキュー調整軸のスライドに伴ってこのスキュー調整軸上を摺動し、該ターンテーブルを傾斜させる摺動爪と、
を有することを特徴とする請求項２記載のレンズ保護機構。
【請求項４】
前記ターンテーブルは、スピンドルモータによって回転駆動されると共に、前記摺動爪は、上記スピンドルモータを取付固定しているモータ取付金具に形成されていることを特徴とする請求項３記載のレンズ保護機構。
【請求項５】
前記摺動爪は、バネ部材による弾性力を受けて前記スキュー調整軸に付勢されていることを特徴とする請求項３または４記載のレンズ保護機構。
【請求項６】
前記光ピックアップレンズは、光ピックアップ移動機構によって前記ディスクの内周側と外周側の間を移動可能とすると共に、前記ディスクと前記光ピックアップレンズの間の距離が離れるように前記傾斜駆動機構の作動を前記制御手段が制御した場合に、この制御手段が前記光ピックアップ移動機構を前記ディスクの外周側に位置させるように駆動制御することを特徴とする請求項２から５のいずれか１項に記載のレンズ保護機構。
【請求項７】
請求項１から６のいずれか１項に記載のレンズ保護機構を具備することを特徴とするディスク再生装置。
【発明の詳細な説明】
【０００１】
【発明の属する技術分野】
本発明は、レンズ保護機構およびこのレンズ保護機構を用いたディスク再生装置に関する。
【０００２】
【従来の技術】
ディスク再生装置において使用される光学ピックアップのレンズは、電気制御によって、ディスクの再生中に該ディスクとの距離が一定に保たれている。かかるディスク再生装置のうち、車載用等のディスク再生装置の場合、ディスクを再生している状態において、例えば他ソース／電源オフ（チューナ等を使用した場合、または電源オフにした場合をいう。）に切り替えられると、光学ピックアップのレンズは通電しない状態となる。
【０００３】
このような非通電状態では、光ピックアップのレンズのディスクに対する距離の電気制御が為されずに、ディスクとの距離を一定に保てなくなる。そのため、光ピックアップのレンズは、自動車の走行時等に生ずる振動等の外乱により、上下に動く状態となる。特に、ディスクがターンテーブルに載置された状態では、レンズとディスクとの距離が近いため、ディスクにレンズが接触してしまうことがある。
【０００４】
このようなディスクとレンズとの接触の防止を図る構成の例としては、特開２００２−２５０９４号公報記載のものがある。この構成では、衝突防止装置にレンズよりも先にディスクに接触する接触部分が設けることで、該レンズの保護を図っている。
【０００５】
また、接触させないための従来例としては、他ソースに切り替えられた場合でも、光ピックアップを通電状態とし、電気制御によってレンズの保護を図る構成もある。他の従来例としては、他ソースに切替えられた場合に、光ピックアップをディスクの外周よりも外に移動させて、該光ピックアップを待機させておく、というものがある。
【０００６】
【特許文献１】
特開２００２−２５０９４号公報（発明の実施の形態全体、図５、図８）
【０００７】
【発明が解決しようとする課題】
ここで、車載用のディスク再生装置においては、スペース効率を良好にするために薄型化が図られている。かかるディスク再生装置の薄型化を図る場合、光ピックアップのレンズとディスクとの距離が小さくなり、光ピックアップのレンズとディスクとの接触をきたしがちとなる。特に、近年開発が進められているブルーレーザを利用した光学式再生装置では、ディスクとレンズの間の距離が極めて小さく、問題が特に顕著となる。
【０００８】
しかしながら、上述した特許文献１記載の構成では、ディスクに対して接触させるための接触パッドを別途設ける必要がある。また、ディスクに対して接触パッドが接触する構成のため、ディスクに傷がつきやすいものとなる。
【０００９】
また、他のソースに切り替えられた場合に、光ピックアップを通電状態とし、電気制御によってレンズの保護を図る構成では、消費電力が大きくなってしまう。そのため、ディスク再生装置や車載バッテリの寿命が短くなるという問題がある。また、光ピックアップをディスクの外周よりも外側に移動させ、該光ピックアップを待機させておく構成の場合、ディスク再生装置が大型化し、該ディスク再生装置のコンパクト化が図れない、といった問題が生じる。
【００１０】
本発明は、上記の事情に基づきなされたもので、その目的とするところは、簡易な構成かつ低コストで、ディスクと光ピックアップのレンズとの接触を防ぐことが可能なレンズ保護機構およびこのレンズ保護機構を用いたディスク再生装置を提供しよう、とするものである。
【００１１】
【課題を解決するための手段】
上述の目的を達成するため、本発明は、ディスクが載置されるターンテーブルまたは光ピックアップレンズの少なくとも一方を、支点を中心として回動させることにより、これらの間のスキュー調整を行うスキュー調整機構と、ディスクが再生状態／再生待機状態で他ソース／電源オフに切り替えられた場合に、ディスクと光ピックアップレンズとの間の距離が離れるように、スキュー調整機構を制御する制御手段と、を具備するものである。
【００１２】
また、他の発明は、ターンテーブル上に載置されるディスクに光を投受光するための光ピックアップレンズを有するレンズ保護機構において、ターンテーブルまたは光ピックアップレンズの少なくとも一方を、支点を中心として傾斜させることを可能とする傾斜駆動機構と、ディスクの再生状態／再生待機状態から他ソース／電源オフに切り替えられた場合に、傾斜駆動機構を作動させて、ディスクと光ピックアップレンズの間の距離が離れるように制御する制御手段と、を具備するものである。
【００１３】
さらに、他の発明は、上述の発明に加えて更に、傾斜駆動機構は、ターンテーブルを傾斜させると共に、この傾斜駆動機構は、制御手段によって作動が制御されるスキュー調整用モータと、スキュー調整用モータによって回転駆動され、この回転駆動に伴ってスライドすると共に、軸方向に沿って径が変化するスキュー調整軸と、ターンテーブルと一体的に傾斜すると共に、スキュー調整軸のスライドに伴ってこのスキュー調整軸上を摺動し、該ターンテーブルを傾斜させる摺動爪と、を有するものである。
【００１４】
また、他の発明は、上述の発明に加えて更に、ターンテーブルは、スピンドルモータによって回転駆動されると共に、摺動爪は、スピンドルモータを取付固定しているモータ取付金具に形成されているものでる。
【００１５】
さらに、他の発明は、上述の各発明に加えて更に、摺動爪は、バネ部材による弾性力を受けてスキュー調整軸に付勢されているものである。
【００１６】
また、他の発明は、上述の各発明に加えて更に、光ピックアップレンズは、光ピックアップ移動機構によってディスクの内周側と外周側の間を移動可能とすると共に、ディスクと光ピックアップレンズの間の距離が離れるように傾斜駆動機構の作動を制御手段が制御した場合に、この制御手段が光ピックアップ移動機構をディスクの外周側に位置させるように駆動制御するものである。
【００１７】
さらに、他の発明は、上述のレンズ保護機構の各発明を、ディスク再生装置に適用したものである。
【００１８】
【発明の実施の形態】
以下、本発明の一実施の形態について、図１から図４に基づいて説明する。図１は、本発明の一実施の形態に係るディスク再生装置１０およびこのディスク再生装置１０に用いられるレンズ保護機構１１の要部の概略構成を示す平面図である。この図において、ディスク再生装置１０は、シャーシ１２上に光ピックアップ２１を駆動させるためのピックアップ駆動機構２０を有している。このピックアップ駆動機構２０は、主軸２２および副軸２３を有していて、これら主軸２２および副軸２３により、光ピックアップ２１（図示しないフォーカスアクチュエータを含む）の支持および案内が為される。
【００１９】
また、光ピックアップ２１の縁部からは、ガイド部材２４が延伸している。このガイド部材２４は、主軸２２および副軸２３に係合している。そして、この係合によって、光ピックアップ２１が主軸２２および副軸２３に沿ってスライドする構成となっている。
【００２０】
また、ガイド部材２４とは別に、光ピックアップ２１の主軸２２側の縁部からは、スレッド側突出部材２５が突出して設けられている。このスレッド側突出部材２５には、図１において下方に向かうように、係合爪２６が突出している。この係合爪２６が、主軸２２に平行に設けられているスレッド軸２７に形成されたネジ部２７ａの凹部に係合することにより、光ピックアップ２１の主軸２２および副軸２３に沿うスライドが可能となる。なお、スレッド軸２７は、不図示の駆動モータによって回転駆動される。
【００２１】
また、光ピックアップ２１には、光ピックアップレンズ２８（以下、単にレンズ２８とも呼ぶ。）が取り付けられている。このレンズ２８は、後述するターンテーブル５２上に載置されているディスク１３の径方向に沿った移動をするように、光ピックアップ２１上の所定の位置に取り付けられている。
【００２２】
また、シャーシ１２には、後述するスピンドルモータ５０を挟んで光ピックアップ２１と反対側の部位に、スキュー調整機構３０が設けられている。このスキュー調整機構３０は、図１に示すように、スキュー調整用モータ３１を有している。スキュー調整用モータ３１には、その回転軸３１ａに従動ギヤ３２が取り付けられている。この従動ギヤ３２には、さらに従動ギヤ３３が噛み合っていて、さらに従動ギヤ３３にスキューギヤ３４が噛み合っている。スキューギヤ３４は、スキュー調整軸３５の一端側に取り付けられているものであり、該スキュー調整軸３５と一体的に回転駆動されるものである。このようにして、スキュー調整用モータ３１で発生した駆動力が、スキュー調整軸３５の回転力として伝達される。
【００２３】
このスキュー調整軸３５は、図３（ａ），（ｂ）に示すように、一端側から他端側に向かうにつれて、その径が細くなるように、異径に形成されている。このスキュー調整軸３５のうち、スキューギヤ３４に近接する一端側は、ネジ溝が形成されているネジ部３６となっている。このネジ部３６は、シャーシ１２から起立するように設けられた立設部４１（図１、図２参照）を貫通している。立設部４１には、この立設部４１を貫通すると共に、ネジ溝が形成されたネジ受け部４２が設けられていて、このネジ受け部４２がネジ部３６に螺合している。それにより、スキュー調整軸３５が回転されると、ネジ回転によって該スキュー調整軸３５が軸方向（図３においては左右方向）に移動するのを可能としている。
【００２４】
また、図３（ａ），（ｂ）に示すように、スキュー調整軸３５には、ネジ部３６に連なるように、所定の長さだけ一定の径となる中径部３７が設けられている。この中径部３７は、図１および図３においては、ネジ部３６よりも小径に形成されている。さらに、この中径部３７には、テーパ部３８が段差を有さない状態で連なっている。テーパ部３８は、中径部３７側から後述する小径部３９側に向かうにつれて、その径が小さくなるように、側面形状がテーパを為している。
【００２５】
また、このテーパ部３８には、小径部３９が段差を有さない状態で連なっている。小径部３９は、スキュー調整軸３５の他端側に位置する部分であり、スキュー調整軸３５で最も小径となっている部分である。この小径部３９も、一定の径となるように形成されている。
【００２６】
なお、中径部３７、テーパ部３８および小径部３９には、ネジ部３６と異なってネジ溝は形成されていない。しかしながら、中径部３７、テーパ部３８および小径部３９にネジ溝を形成すると共に、これら中径部３７、テーパ部３８および小径部３９に形成されたネジ溝と、ネジ部３６のネジ溝とを同一のピッチとしても良い。この場合には、スキュー調整軸３５が回転されると、ネジ受け部４２に対するネジ部３６の進行と、後述する摺動爪６３に対する中径部３７、テーパ部３８および小径部３９の進行とが同一ピッチとなる。また、以下の説明では、中径部３７、テーパ部３８および小径部３９を、軸摺動部４０とも呼ぶ。
【００２７】
また、シャーシ１２の略中央部分には、スピンドルモータ５０が配置されている。このスピンドルモータ５０は、モータ取付金具６０に対して、その上面が取り付けられている。それにより、このスピンドルモータ５０の支持が為されていて、また、後述するように、モータ取付金具６０と共にスピンドルモータ５０も取付位置が回動可能となっている。
【００２８】
なお、モータ取付金具６０は、シャーシ１２から延伸している支持部材４３と連結されている。また、スピンドルモータ５０の下端側がシャーシ１２と干渉しないように、該シャーシ１２には挿通孔１４が形成されている。それにより、この挿通孔１４からスピンドルモータ５０の下端側が露出している。
【００２９】
なお、このスピンドルモータ５０には、その回転軸５１にターンテーブル５２が取り付けられている。ターンテーブル５２には、８ｃｍの小径のディスク１３や、１２ｃｍの大径のディスク１３が載置される。
【００３０】
モータ取付金具６０は、スピンドルモータ５０の上面への取り付けを良好にするために、図１、図２および図４に示すように、該スピンドルモータ５０の上面形状に対応した円盤部６１を有している。また、図１に示すように、この円盤部６１からは、スキュー調整軸３５側（図１において右側）に向かって、舌片部６２が突出形成されている。
【００３１】
この舌片部６２には、その一部を下方に向かって窪ませることにより形成した摺動爪６３が延伸している。この摺動爪６３は、上述の軸摺動部４０の上を摺動する部分である。また、舌片部６２の突出端部側には、外れ止め６４が形成されている。この外れ止め６４は、後述するバネ部材７０が外れるのを防止する部分であり、図１において、舌片部６２よりも上下方向に長くなるように形成されている。
【００３２】
摺動爪６２と、上述のスキュー調整機構３０とによって、傾斜駆動機構が構成される。なお、摺動爪６２の両端には、摺動爪６２を形成し易くするための貫通孔６２ａ，６２ｂが形成されている。
【００３３】
また、図１および図２に示すように、円盤部６１からは、一対の回動支持部６５が、主軸２２および副軸２３の幅方向（図１において、上下方向）に向かって突出している。この回動支持部６５は、支持部材４３によって受け止められる部分である。かかる回動支持部６５は、円盤部６１に対して、くびれ部６６を介して連続した状態となっている。このようにして、モータ取付金具６０は、シャーシ１２に取り付けられている。なお、モータ取付金具６０は、このくびれ部６６が弾性変形することによって、傾くことを可能としている。しかしながら、モータ取付金具６０が傾くようにする構成は、これには限られず、支持部材４３に対して回動支持部６５が回動する構成等、種々変形可能である。
【００３４】
また、調整ガイド部を有するスキュー調整軸３５、スキュー調整用モータ３１、従動ギヤ３２，３３、スキューギヤ３４、舌片部６２を有するモータ取付金具６０、スピンドルモータ５０およびターンテーブル５２によって、カム機構に類似するスキュー調整機構３０が構成される。
【００３５】
また、舌片部６２には、バネ部材７０が弾性力を及ぼしながら接触している。かかるバネ部材７０は、図１および図２に示すように、直線状のバネ鋼を撓ませ、所定だけ弾性力を蓄えた状態で舌片部６２に接触させている。また、このバネ部材７０の一端側は、鉤状に形成された係止部７１となっていて、この係止部７１が立設部４１の孔部（不図示）に掛け止めされる構成である。なお、図１に示すように、バネ部材７０の他端側は、シャーシ１２から延伸しているバネ受け部４４の孔部（不図示）に、移動自在に挿通される。
【００３６】
また、ディスク再生装置１０には、その内部に制御手段を構成する制御部８０（図１参照）が設けられている。制御部８０は、スキュー調整用モータ３１の駆動を制御するものであり、このスキュー調整用モータ３１に対して電気的に接続されている。かかる制御部８０での制御により、スキュー調整用モータ３１の作動が適切に制御され、レンズ２８とディスク１３との距離を適切に保つことが可能となる。
【００３７】
なお、制御部８０の構成としては、ディスク１３がターンテーブル５２に載置された状態、またはディスク１３が再生されない休止状態（再生状態／再生待機状態）において他ソース／電源オフに切り替えられた場合に、スキュー調整用モータ３１をオン作動させるものであれば良く、かかる動作をするスイッチ機構や、かかる動作を行うプログラムが記憶されたマイコン等、種々のものを用いることが可能である。
【００３８】
以上のような構成を有するレンズ保護機構１１およびこのレンズ保護機構１１が用いられるディスク再生装置１０の動作について、以下に説明する。
【００３９】
上述のレンズ保護機構１１を有するディスク再生装置１０において、ターンテーブル５２上にディスク１３を載置した状態で、レンズ２８を移動させるスキュー調整が為される。このスキュー調整を行う場合、スキュー調整用モータ３１が作動し、スキュー調整軸３５が回転される。すると、スキュー調整軸３５のネジ部３６とネジ受け部４２との螺合によって、このスキュー調整軸３５は、回転に伴って、該スキュー調整軸３５の軸線方向（図１における上下方向）にスライドする（図３（ａ），（ｂ）参照）。
【００４０】
また、スキュー調整軸３５の軸摺動部４０には、摺動爪６３が、バネ部材７０により弾性力を受けながら付勢されている。そのため、スキュー調整軸３５が軸線方向にスライドした場合でも、摺動爪６３はスキュー調整軸３５に接触した状態を、常に維持可能となっている。
【００４１】
また、このスキュー調整軸３５のスライドにより、摺動爪６３が、小径部３９、テーパ部３８および中径部３７にかけて、適宜移動することで、シャーシ１２に対する摺動爪６３の高さ位置が変動する。そして、この高さ位置の変動によって、モータ取付金具６０の傾きも変化し、該モータ取付金具６０と一体的に設けられているターンテーブル５２の傾きも変化する。そのため、ターンテーブル５２に載置されているディスク１３のレンズ２８に対する傾きを調整することができる。以上のようにして、通常のスキュー調整を行うことができる。
【００４２】
このスキュー調整終了後に、光ピックアップ２１が主軸２２および副軸２３に沿って移動し、ディスク１３への光の照射を開始することで、該ディスク１３の再生状態／再生待機状態となる。そして、ディスク１３に記憶されている情報の読み取りを行うことが可能な状態となる。なお、ディスク再生装置１０は、不図示の電気制御機構を有している。この電気制御機構によって、ディスク１３の再生状態／再生待機状態においては、ディスク１３とレンズ２８との距離を一定に保つことを可能としている。
【００４３】
また、ディスク１３の再生状態／再生待機状態から、他ソース／電源オフ（チューナ等を使用した場合、または電源オフにした場合をいう。）に切り替えられると、制御部８０での制御が為されて、スキュー調整用モータ３１が作動する。この作動においては、スキュー調整軸３５は、摺動爪６３がスキュー調整軸３５の中径部３７またはテーパ部３８側に存する場合（図３（ａ）参照；なお、図３（ａ）においては、テーパ部３８に摺動爪６３が存している。）に、摺動爪６３が小径部３９に当接するように（図３（ｂ）参照）、スキュー調整軸３５をスライドさせる。それによって、摺動爪６３が中径部３７またはテーパ部３８側に存する場合に、この摺動爪６３が小径部３９側に移動する。それによって、レンズ２８とディスク１３との間の距離を離すことが可能となる。
【００４４】
すなわち、摺動爪６３が小径部３９に当接するように、スキュー調整軸３５をスライドさせることによって、摺動爪６３の高さ位置が、シャーシ１２側に向かって移動（低下）する。ここで、摺動爪６３が低下しても、モータ取付金具６０の回動支持部６５が、支持部材４３に取り付けられている高さ位置は変化しない。このため、摺動爪６３と一体的に設けられているモータ取付金具６０の円盤部６１は、くびれ部６６が弾性変形すると共に、かかるくびれ部６６（回動支持部６５）を支点として、摺動爪６３が低下した分だけ斜めに傾斜する状態となる。
【００４５】
そして、このモータ取付金具６０の傾斜により、該モータ取付金具６０に取り付けられているスピンドルモータ５０も傾斜する。また、スピンドルモータ５０が傾斜すれば、該スピンドルモータ５０に対して回転自在に設けられているターンテーブル５２、およびこのターンテーブル５２に載置されるディスク１３も傾斜する。この傾斜は、レンズ２８とディスク１３の距離が、離れる向きとなっている。このようにして、レンズ２８とディスク１３との間の距離が、離間される。
【００４６】
この様子を、図４（ａ）〜（ｃ）に示す。スキュー調整用モータ３１が作動する前の状態において、モータ取付金具６０（ディスク１３）が傾斜していない状態においては、図４（ａ）に示すように、通常のスキュー調整によって、ディスク１３とレンズ２８との間の距離は、一定の距離Ｌ１となっている。なお、この図４（ａ）においては、レンズ２８は、ディスク１３の内周側に存している。
【００４７】
続いて、再生状態／再生待機状態のときに、他ソース／電源オフに切り替えられると、スキュー調整用モータ３１が作動する。このときのモータ取付金具６０（ディスク１３）が傾斜した状態を、図４（ｂ）に示す。この図４（ｂ）に示す状態では、ディスク１３と再生状態／再生待機状態の位置でのレンズ２８との間の距離は、Ｌ２となる。この場合、ディスク１３がレンズ２８に対して上に持ち上がるように傾斜するので、Ｌ２＞Ｌ１となる。
【００４８】
また、他ソース／電源オフに切り替えられる場合に、このスキュー調整に加えて光ピックアップ２１をディスク１３の外周側に位置させるように制御しても良い。このように、光ピックアップ２１をディスク１３の外周側に位置させた場合には、ディスク１３が傾斜していることから、該ディスク１３とレンズ２８との間の距離を一層離間させることができる。この様子を、図４（ｃ）に示す。
【００４９】
この場合、図４（ｃ）に示すように、ディスク１３とレンズ２８との間の距離は、Ｌ３となる。ここで、ディスク１３がレンズ２８に対して持ち上げられる方向に傾斜しているので、ディスク１３とレンズ２８との間の距離は、レンズ２８がディスク１３の内周側に存する場合よりも、ディスク１３の外周側に存する場合の方が大きくなる。そのため、Ｌ３＞Ｌ２となる。
【００５０】
以上のことから、図４（ａ）〜（ｃ）においては、Ｌ３＞Ｌ２＞Ｌ１となる。そのため、制御部８０での制御により、スキュー調整用モータ３１が作動すると、ディスク１３とレンズ２８との間の距離を、離す（大きく）することができる、と言える。
【００５１】
なお、摺動爪６３が小径部３９に予め存している場合には、既にレンズ２８とディスク１３との間の距離が離れたものとなっているので、スキュー調整用モータ３１を作動させないようにしても良い。
【００５２】
このような構成のレンズ保護機構１１、およびこのレンズ保護機構１１を用いたディスク再生装置１０によれば、スキュー調整機構３０を利用することにより、再生時にソースが切り替わるとディスク１３とレンズ２８との間の距離を離間させることができる。
【００５３】
すなわち、ディスク再生装置１０が、他ソース／電源オフに切り替えられて、ディスク１３とレンズ２８の間の距離を、電気制御機構によって一定間隔に維持することができなくなっても、上述のようにディスク１３とレンズ２８の間の距離を離すことができ、ディスク１３とレンズ２８とが接触するのを防止することができる。それにより、ディスク１３やレンズ２８に傷が付くのを防ぐことができ、ディスク再生装置１０の長寿命化を図ることができる。
【００５４】
また、従来のように、ディスク再生装置１０が、他ソース／電源オフに切り替えられた場合、光ピックアップ２１に通電しなくても、ディスク１３とレンズ２８とが接触しない状態とすることができる。このように、他ソース／電源オフへの切り替え時に、通電しなくても良いので、電力の消費を抑えることができる。また、別途通電のための機構を設ける必要もなくなる。
【００５５】
また、ディスク再生装置１０に既に存しているスキュー調整機構３０を利用し、さらに制御部８０が加えられてレンズ保護機構１１が構成されている。このため、ディスク１３の外周側にレンズ２８を退避させるタイプの従来のレンズ保護機構と比較して、レンズ２８やディスク１３の十分な保護を図りながらでも、ディスク再生装置１０の大型化を抑えることができる。それにより、ディスク再生装置１０の薄型化、および光ピックアップ２１の薄型化も可能となる。また、かかる薄型化が可能となることにより、特に車載用のディスク再生装置１０としては、最適な装置構成とすることができる。
【００５６】
また、ディスク再生装置１０に既に存しているスキュー調整機構３０を利用したレンズ保護機構１１とすることで、レンズ２８やディスク１３の十分な保護を図りながらも、コストの増加を抑えることが可能となる。
【００５７】
以上、本発明の一実施の形態について述べたが、本発明はこれ以外にも種々変形可能となっている。以下、それについて述べる。
【００５８】
上述の実施の形態では、スキュー調整軸３５は、中径部３７、テーパ部３８および小径部３９を有する構成であるが、これらのうち少なくともテーパ部３８を有していれば良く、中径部３７および小径部３９の一方または両方を省略する構成を採用しても良い。スキュー調整軸３５をこのように構成しても、レンズ２８の保護、およびスキュー調整を行うことができる。すなわち、再生時にソースが切り替わった場合、より小径なテーパ部３８へ移動することでディスク１３を光ピックアップ２１から離す方向に傾かせることができる。
【００５９】
また、上述の実施の形態では、スキュー調整機構３０は、スピンドルモータ５０、ターンテーブル５２を傾斜させることで、このターンテーブル５２に載置されるディスク１３を傾斜させる構成となっている。しかしながら、本発明に適用可能なスキュー調整機構は、かかるディスク１３側を傾斜させるタイプには限定されず、光ピックアップ２１側を傾斜させるタイプのスキュー調整機構に、本発明を適用しても良い。なお、光ピックアップ２１側を傾斜させるタイプのスキュー調整機構では、光ピックアップ２１側が載置されると共に、シャーシ１２に対して支点を中心として回動する第２のシャーシを、別途設ける構成を採用しても良い。
【００６０】
さらに、上述の実施の形態では、スキュー調整機構３０として、スキュー調整用モータ３１によって回転駆動されるスキュー調整軸３５を用いている。しかしながら、スキュー調整軸３５の代わりに、テーパ部を有する軸摺動部およびラックギヤが形成された部材を用い、さらにスキュー調整用モータ３１にピニオンギヤを取り付けて、摺動爪６３が軸摺動部を摺動する構成としても良い。
【００６１】
また、摺動爪６３も、上述のように舌片部６２の一部を下方に向かって窪ませた構成とはせずに、種々変形可能である。例えば、舌片部６２に、軸摺動部４０を良好に摺動可能なピン状部材を、別途取り付けるようにしても良い。また、舌片部６２から下方に向かって突出部を形成し、この突出部に孔を形成してスキュー調整軸３５が挿通させる構成としても良い。かかる孔に、スキュー調整軸３５を挿通させる構成とした場合には、摺動爪６３が存しない構成とすることができ、さらにバネ部材７０をも省略することも可能となる。
【００６２】
【発明の効果】
本発明によれば、簡易な構成かつ低コストで、ディスクと光ピックアップのレンズとの接触を防ぐことが可能となる。
【図面の簡単な説明】
【図１】本発明の一実施の形態に係るレンズ保護機構を有するディスク再生装置の要部構成を示す平面図である。
【図２】図１のディスク再生装置において、シャーシに対するスピンドルモータ、モータ取付金具、ターンテーブル、およびバネ部材の位置関係を示す側面図である。
【図３】図１のディスク再生装置において、立設部のネジ受け部にスキュー調整軸が螺合している構成を示す側面図であり、（ａ）は摺動爪がテーパ部に存する様子を示す図であり、（ｂ）は摺動爪が小径部に存する様子を示す図である。
【図４】図１のディスク再生装置において、ターンテーブルに載置されたディスクとレンズとの間の距離を示す側面図であり、（ａ）はレンズがディスクの内周側に存すると共にディスクが傾斜する前の距離を示す図、（ｂ）はレンズがディスクの内周側に存すると共にディスクが傾斜したときの距離を示す図、（ｃ）はレンズがディスクの外周側に存すると共にディスクが傾斜したときの距離を示す図である。
【符号の説明】
１０…ディスク再生装置
１１…レンズ保護機構
１３…ディスク
２０…ピックアップ駆動機構
２１…光ピックアップ
２８…光ピックアップレンズ（レンズ）
３０…スキュー調整機構（傾斜駆動機構の一部）
３１…スキュー調整用モータ（傾斜駆動機構の一部）
３５…スキュー調整軸（傾斜駆動機構の一部）
３７…中径部（傾斜駆動機構の一部）
３８…テーパ部（傾斜駆動機構の一部）
３９…小径部（傾斜駆動機構の一部）
４０…軸摺動部（傾斜駆動機構の一部）
４２…ネジ受け部
５０…スピンドルモータ
５２…ターンテーブル
６０…モータ取付金具
６２…舌片部
６３…摺動爪（傾斜駆動機構の一部）
６５…回動支持部
７０…バネ部材
【図１】
2004158101.tif 000003
【図２】
2004158101.tif 000004
【図３】
2004158101.tif 000005
【図４】
2004158101.tif 000006